(57)【要約】【課題】照明装置設置後に設置環境に合わせた任意の範囲の遮光や微妙な漏光、配光を簡単に行うことができ、また光源のメンテナンスを容易に行える自然エネルギー発電を利用した照明装置を提供することを課題とする。【課題手段】自然風を捉えて発電する風力発電装置と、太陽光を捉えて発電する太陽光発電装置と、その発電された電気エネルギーより発光する照明器具とを備えた自然エネルギー発電装置において、照明器具下方に後付け可能な照明カバー６０を形成して構成されたものである。それにより、前記照明カバー６０により設置環境に合わせた遮光や微妙な漏光、配光を簡単に行える自然エネルギー発電を利用した照明装置５０を提供する。【選択図】図２
2007258047.tif 000002
【特許請求の範囲】
【請求項１】
自然風を捉えて発電する風力発電装置と、太陽光を捉えて発電する太陽光発電装置と、その発電された電気エネルギーより発光する照明器具とを備えた自然エネルギー発電装置において、照明器具下方に後付け可能な照明カバーを形成したことを特徴とする自然エネルギー発電を利用した照明装置。
【請求項２】
前記照明カバーを蛇腹構造にし、照明カバーの形状が変化することを特徴とする請求項１記載の自然エネルギー発電を利用した照明装置。
【請求項３】
前記照明カバーを前記照明器具内からスライドさせる構造を特徴とする請求項１記載の自然エネルギー発電を利用した照明装置。
【請求項４】
前記照明カバーを前記照明器具上を回転する構造を特徴とする請求項１記載の自然エネルギー発電を利用した照明装置。
【請求項５】
前記照明カバーの材質をポリカーボネイト等の半透明な材質としたことを特徴とする請求項１から請求項４のいずれかに記載の自然エネルギー発電を利用した照明装置。
【請求項６】
前記照明カバーを微細な穴の開いた構造としたことを特徴とする請求項１から請求項４のいずれかに記載の自然エネルギー発電を利用した照明装置。
【請求項７】
前期照明カバーの光源側に反射鏡を配置する構造としたことを特徴とする請求項１記載の自然エネルギー発電を利用した照明装置。
【請求項８】
前記照明器具は前記照明カバー取付け用Ｌ型形状を有し、前記照明カバーは前記Ｌ型形状に取り外し可能な形状を有することを特徴とする請求項１記載から請求項７のいずれかに記載の自然エネルギー発電を利用した照明装置。
【発明の詳細な説明】
【技術分野】
【０００１】
本発明は、自然エネルギー発電を利用した照明装置において、設置環境に合わせた遮光方法や微妙な漏光、配光方法等に関するものである。
【背景技術】
【０００２】
従来、この種の設置環境に合わせた遮光方法や微妙な漏光、配光方法等に関するものは、光源周辺の遮光したい部分へ遮光壁や反射鏡を設置した照明装置がよく知られている。この方式の一つは、下面を開口した照明装置の内部に光源と反射鏡と遮光壁を有し、光源の光中心の後方で且つ光源の下方に位置した遮光壁を照明装置と一体的に吐出形成し、照明装置の後方への照射光の一部を遮光するように構成してある（例えば、特許文献１参照）。
【特許文献１】特開２０００−２２２９１１号公報
【発明の開示】
【発明が解決しようとする課題】
【０００３】
このような従来の照明装置では、光源と遮光壁や反射鏡が一体となっている為、照明装置を設置した後に遮光範囲の変更や調整が行えないという課題があり、照明装置設置後の設置環境に合わせた任意の範囲の遮光や微妙な漏光、配光を行えることが要求されている。
【０００４】
また、光源周辺に遮光壁や反射鏡を設置してある為、光源のメンテナンスが容易ではないという課題があり、光源のメンテナンスが容易に行えることが要求されている。
【０００５】
そこで本発明は、このような従来の課題を解決するものであり、簡単で確実に設置環境に合わせた任意の範囲の遮光や微妙な漏光、配光を行うことができ、また、光源のメンテナンスが容易に行える照明カバーを提供することを目的としている。
【課題を解決するための手段】
【０００６】
請求項１記載の本発明の、自然風を捉えて発電する風力発電装置と、太陽光を捉えて発電する太陽光発電装置と、その発電された電気エネルギーより発光する照明器具とを備えた自然エネルギー発電装置において、照明器具下方に後付け可能な照明カバーを形成したことを特徴とする。
【０００７】
請求項２記載の本発明は請求項１記載の自然エネルギー発電を利用した照明装置において、前記照明カバーを蛇腹構造にし、照明カバーの形状が変化することを特徴とする。
【０００８】
請求項３記載の本発明は請求項１記載の自然エネルギー発電を利用した照明装置において、前記照明カバーを前記照明器具内からスライドさせる構造を特徴とする。
【０００９】
請求項４記載の本発明は請求項１記載の自然エネルギー発電を利用した照明装置において、前記照明カバーを前記照明器具上を回転する構造を特徴とする。
【００１０】
請求項５記載の本発明は請求項１から請求項４のいずれかに記載の自然エネルギー発電を利用した照明装置において、前記照明カバーの材質をポリカーボネイト等の半透明な材質としたことを特徴とする。
【００１１】
請求項６記載の本発明は請求項１から請求項４のいずれかに記載の自然エネルギー発電を利用した照明装置において、前記照明カバーを微細な穴の開いた構造としたことを特徴とする。
【００１２】
請求項７記載の本発明は請求項１記載の自然エネルギー発電を利用した照明装置において、前期照明カバーの光源側に反射鏡を配置する構造としたことを特徴とする。
【００１３】
請求項８記載の本発明は請求項１から請求項７のいずれかに記載の自然エネルギー発電を利用した照明装置において、前記照明器具は前記照明カバー取付け用Ｌ型形状を有し、前記照明カバーは前記Ｌ型形状に取り外し可能な形状を有することを特徴とする。
【発明の効果】
【００１４】
以上の説明から明らかなように本発明によれば、簡単で確実に設置環境に合わせた任意の範囲の遮光や微妙な漏光、配光を行うことができる照明カバーを提供できるものである。また、照明カバーを取り外し可能な構造にすることにより、光源のメンテナンスが容易に行える作用を有する。
【発明を実施するための最良の形態】
【００１５】
本発明の第１の実施の形態は、自然風を捉えて発電する風力発電装置と、太陽光を捉えて発電する太陽光発電装置と、その発電された電気エネルギーより発光する照明器具とを備えた自然エネルギー発電装置において、照明器具下方に後付け可能な照明カバーを形成して構成されたものである。それにより、設置環境に合わせた任意の範囲の遮光や微妙な漏光、配光を行うことができる。
【００１６】
本発明の第２の実施の形態は、第１の実施の形態における自然エネルギー発電を利用した照明装置において、前記照明カバーを蛇腹構造にし、照明カバーの形状が変化する構成として、遮光できる範囲を調整する。
【００１７】
本発明の第３の実施の形態は、第１の実施の形態における自然エネルギー発電を利用した照明装置において、前記照明カバーを前記照明器具内からスライドさせる構成として、遮光できる範囲を調整する。
【００１８】
本発明の第４の実施の形態は、第１の実施の形態における自然エネルギー発電を利用した照明装置において、前記照明カバーを前記照明器具上を回転する構成として、配光する範囲を調整する。
【００１９】
本発明の第５の実施の形態は、第１の実施の形態から第４の実施の形態における自然エネルギー発電を利用した照明装置において、前記照明カバーの材質をポリカーボネイト等の半透明な材質で構成されたものである。
【００２０】
本発明の第６の実施の形態は、第１の実施の形態から第４の実施の形態における自然エネルギー発電を利用した照明装置において、前記照明カバーを微細な穴の開いた形状として構成されたものである。
【００２１】
本発明の第７の実施の形態は、第１の実施の形態における自然エネルギー発電を利用した照明装置において、前期照明カバーの光源側に反射鏡を配置した構成として、遮光側の光を配光側へ反射させるように反射鏡を配置している。
【００２２】
本発明の第８の実施の形態は、第１の実施の形態から第７の実施の形態における自然エネルギー発電を利用した照明装置において、前記照明器具は前記照明カバー取り付け用Ｌ型形状を有し、前記照明カバーは前記Ｌ型形状に取り外し可能な形状を有する構成とする。それにより、光源のメンテナンスが容易に行えるという作用を有する。
【００２３】
以下、本発明の自然エネルギー発電を利用した照明装置の照明カバーの一実施例を図面に基づいて説明する。
【実施例】
【００２４】
（実施例１）
図１は本発明第一の実施例による自然エネルギー発電を利用した照明装置の全体概要の斜視図、図２（ａ）は本発明第一の実施例の照明カバーの底面図、図２（ｂ）は本発明第一の実施例の照明カバーの側面図、図３（ａ）は本発明第一の実施例の蛇腹構造の照明カバーの底面図、図３（ｂ）は本発明第一の実施例の蛇腹構造の照明カバーの側面図、図４（ａ）は本発明第一の実施例のスライド構造の照明カバーの底面図、図４（ｂ）は本発明第一の実施例のスライド構造の照明カバーの側面図、図５（ａ）は本発明第一の実施例の回転構造の照明カバーの底面図、図５（ｂ）は本発明第一の実施例の回転構造の照明カバーの側面図、図９は本発明第一の実施例の照明カバーの取り付け詳細図である。
【００２５】
本実施例による自然エネルギー発電を利用した照明装置の全体構成は、風車１と、太陽光発電装置２０と、風車１の回転エネルギーを電気エネルギーに変換する発電装置３０と、太陽光発電装置２０と発電装置３０により発生する電力を蓄電する蓄電装置４０と、蓄電装置４０に蓄電された電力を用いて点灯する照明装置５０と、照明カバー６０を備えている。そして、風車１と発電装置３０と蓄電装置４０と照明装置５０は、２本のポール２の間に挟み込まれるようにして地上からそれぞれ所定高さに保持されている。また太陽光発電装置２０はポール２により所定の高さに保持され、そのポール２は、取付台３によって地上に設置されている。取付台３はアンカーボルトなどの固定具によって設置されている。
【００２６】
発電装置３０の下部には、照明装置５０が取り付けられ、その照明装置５０には照明カバー６０が取り付けられている。
【００２７】
図９に示すように、照明装置５０の上部には照明カバー６０を掛合支持する為のＬ字型の掛止金具５１がネジ止めされてあり、照明カバー６０が容易に取り外しできる構造となっている。
【００２８】
図２に示すように１８０度開口した樹脂製の照明カバー６０を照明装置５０の上部の掛止金具５１に取り付け、反開口側部分を遮光できる構造としている。開口部分の方向を調整して取り付けることにより、任意の範囲の遮光、配光が行える。
【００２９】
また、図３に示すように幅１００ｍｍ程度の短冊状に成型された樹脂で構成された蛇腹構造の照明カバー６１を照明装置５０の上部の掛止金具５１に取り付け、反開口側部分を遮光できる構造としてもよい。この蛇腹構造の照明カバー６１の各短冊状の樹脂は、固定金具５２で固定され、その固定金具５２を支点にして円弧上に動き、開口面積を調整できる構造としている。このような構造によれば、蛇腹構造の照明カバー６１を開閉することにより、任意の範囲の遮光、配光が行える。
【００３０】
また、図４に示すように１８０度開口した半お椀形状のスライド構造の照明カバー６２を照明装置５０の内部にネジ止めし、反開口側部分を遮光できる構造としてもよい。この半お椀形状のスライド構造の照明カバー６２は、照明装置内部に収納され、照明装置内部からスライドし、開口面積を調整できる構造としている。このような構造によれば、半お椀形状のスライド構造の照明カバー６２を出し入れすることにより、任意の範囲の遮光、配光が行える。
【００３１】
また、図５に示すように１／４お椀形状に成型された樹脂２枚で構成された回転構造の照明カバー６３を照明装置５０の上部の掛止金具５１に取り付け、反開口側部分を遮光できる構造としてもよい。この１／４お椀形状の回転構造の照明カバー６３の各１／４お椀形状の樹脂は、固定金具５３で固定され、その固定金具５３を支点にして掛止金具５１上を動き、開口面積を調整できる構造としている。このような構造によれば、１／４お椀形状の回転構造の照明カバー６３をスライドし、開放部を調整することにより、任意の範囲の遮光、配光が行える。
【００３２】
（実施例２）
以下、本発明の自然エネルギー発電を利用した照明装置の照明カバーの他の実施例を図面に基づいて説明する。なお、上記実施例と同一機能を有する構成には同一符号を付して説明を省略する。また下記の実施例で図示しないその他の構成については上記実施例と同様の構成をしている。
【００３３】
図６（ａ）は本発明第二の実施例の半透明材質使用の照明カバーの底面図、図６（ｂ）は本発明第二の実施例の半透明材質使用の照明カバーの側面図、図７（ａ）は本発明第二の実施例の微細な穴加工を施した照明カバーの底面図、図７（ｂ）は本発明第二の実施例の微細な穴加工を施した照明カバーの側面図である。
【００３４】
本実施例では、図６に示すように１８０度開口したポリカーボネイト製の半透明材質使用の照明カバー６４を照明装置５０の上部の掛止金具５１に取り付けてある。この半透明材質使用の照明カバー６４は、材質が半透明のポリカーボネイト等であるため、カバーで覆われた部分の光の一部が漏れてくる。このように、開口部分の方向を調整して取り付けることにより、任意の範囲の配光、漏光が行える。
【００３５】
また、図７に示すように１８０度開口した樹脂製で微細な穴加工を施した照明カバー６５には、直径８ｍｍの無数の穴加工を施してあり、光を漏らす構造としている。この微細な穴加工を施した照明カバー６５は、照明装置５０の上部の掛止金具５１に取り付けてある。この微細な穴加工を施した照明カバー６５を用いて開口部分の方向を調整して取り付けることにより、任意の範囲の配光、漏光が行える。
【００３６】
（実施例３）
図８（ａ）は本発明第三の実施例の反射鏡を配置した照明カバーの底面図、図８（ｂ）は本発明第三の実施例の反射鏡を配置した照明カバーの側面図である。
【００３７】
本実施例では、図８に示すように反射鏡を配置した照明カバー６６を照明装置５０の上部の掛止金具５１に取り付け、反開口側部分を遮光できる構造としている。また、反射鏡を配置した照明カバー６６の光源側には反射鏡５４を取付け、遮光した光が開口部側へ反射する構造としている。開口部分の方向を調整して取り付けることにより、任意の範囲の遮光、配光が行える。また、遮光した光を開口部側へ反射させることにより、光源の光をより効果的に使用することができる。
【産業上の利用可能性】
【００３８】
本発明は、自然エネルギー発電を利用した照明装置の照明カバーに関するものだが、道路用照明器具、一般街灯にも適用できる。
【図面の簡単な説明】
【００３９】
【図１】本発明第一の実施例による自然エネルギー発電を利用した照明装置の全体概要の斜視図
【図２】（ａ）本発明第一の実施例の照明カバーの底面図、（ｂ）本発明第一の実施例の照明カバーの側面図
【図３】（ａ）本発明第一の実施例の蛇腹構造の照明カバーの底面図、（ｂ）本発明第一の実施例の蛇腹構造の照明カバーの側面図
【図４】（ａ）本発明第一の実施例のスライド構造の照明カバーの底面図、（ｂ）本発明第一の実施例のスライド構造の照明カバーの側面図
【図５】（ａ）本発明第一の実施例の回転構造の照明カバーの底面図、（ｂ）本発明第一の実施例の回転構造の照明カバーの側面図
【図６】（ａ）本発明第二の実施例の半透明材質使用の照明カバーの底面図、（ｂ）本発明第二の実施例の半透明材質使用の照明カバーの側面図
【図７】（ａ）本発明第二の実施例の微細な穴加工を施した照明カバーの底面図、（ｂ）本発明第二の実施例の微細な穴加工を施した照明カバーの側面図
【図８】（ａ）本発明第三の実施例の反射鏡を配置した照明カバーの底面図、（ｂ）本発明第三の実施例の反射鏡を配置した照明カバーの側面図
【図９】本発明第一の実施例の照明カバーの取り付け詳細図
【符号の説明】
【００４０】
１      風車
２      ポール
３      取付台
２０    太陽光発電装置
３０    発電装置
４０    蓄電装置
５０    照明装置
５１    掛止金具
５２    固定金具
５３    固定金具
５４    反射鏡
６０    照明カバー
６１    蛇腹構造の照明カバー
６２    スライド構造の照明カバー
６３    回転構造の照明カバー
６４    半透明材質使用の照明カバー
６５    微細な穴加工を施した照明カバー
６６    反射鏡を配置した照明カバー
【図１】
2007258047.tif 000003
【図２】
2007258047.tif 000004
【図３】
2007258047.tif 000005
【図４】
2007258047.tif 000006
【図５】
2007258047.tif 000007
【図６】
2007258047.tif 000008
【図７】
2007258047.tif 000009
【図８】
2007258047.tif 000010
【図９】
2007258047.tif 000011